(57)【要約】【課題】  抗酸化物として高い効果を持つ電子を、皮膚を経由して体内に摂取吸収させ、活性酸素に起因する病気を予防改善する。【解決手段】  第一層が銅、真ちゅう、ステンレス鋼または炭素材料からなるシート状の導体、第二層が含水高分子ゲルまたはイオン液体からなる電解質、第三層がアルミニウム箔またはアルミニウムメッシュからなる３層の層状構成物を、パンツ、腹巻、シャツ、胸当、帽子またはサポーターに装着し、この着衣類を着用する事によって腰、臀部、腹部、胸部または頭部の代謝機能、筋肉痛あるいは神経痛が改善された。３層の層状構成物は、１０〜１５００ｍＶの電圧を生じ、皮膚を経由して電子を体内に送り込む事が出来た。【選択図】図２
0003141052.tif 000002
【実用新案登録請求の範囲】
【請求項１】
第一層は、厚さ０．０１〜１ｍｍの銅、真ちゅう、ステンレス鋼または炭素材料の中から選択された１種類の導電体材料からなり、第二層は、含水高分子ゲルまたはイオン液体を電解質とする見かけの厚さが０〜３ｍｍの層からなり、第三層は、厚さ０．０１〜０．５ｍｍのアルミニウム箔またはアルミニウムメッシュからなり、この３層の層状構成物を装着した着衣類。
【請求項２】
請求項１に記載の炭素材料が、天然繊維または合成繊維からなる織り布または不織布を基材とし、その片面に黒鉛またはカーボンブラックを含む塗料を塗布し乾燥した導電体からなる３層の層状構成物を装着した着衣類。
【請求項３】
請求項１または２に記載の３層の層状構成物が、パンツ、腹巻、シャツ、胸当、帽子またはサポーターである着衣類に、縫製、接着、収納、フアスナーテープ、ボタンまたはホックによって装着された着衣類。
【請求項４】
請求項１または２または３に記載の３層の層状構成物が、縁辺部を無処理の状態で、または、織り布またはプラスチックフイルムで縁辺部を包んだ状態で、縫製または接着して端部処理され、パンツ、腹巻、シャツ、胸当、帽子またはサポーターに装着した着衣類。
【請求項５】
請求項１または２または３または４に記載の３層の層状構成物が、第一層と第三層の間に１０〜１５００ｍＶの電圧を発生する電池である層状構成物。
【考案の詳細な説明】
【技術分野】
【０００１】  本考案は、パンツ、腹巻、シャツ、胸当、帽子またはサポーターにシート状の電池を装着し、微弱な電位を腰、腹、胸または頭に印加し、電子を体内に吸収させ、電子の抗酸化作用を発揮させる着衣類の構造に関する。
【背景技術】
【０００２】  アルミニウム、亜鉛、銅、銀または炭素材料などの導体から二種類の物質を選び、電解質を介在させて化学電池を形成させ、電子を放出させる事は古くから知られている。パンツ、腹巻、シャツ、胸当、帽子またはサポーターなども古い歴史を持った着衣類である。これらの着衣類単体では発電能力はない。また発電能力を付与させる事も試みられたことはあるが、暖房の目的で外部電源からのジュール熱を利用するものであった。
近年、活性酸素が健康に悪影響を与える事が認識されてきており、電子の抗酸化性を利用した着衣を研究開発してきた。その原理は電子を経皮膚摂取させるというもので、そのために１０〜１５００ｍＶの微弱な出力の電池シートを装着した着衣類を開発した。その電池シートには暖房能力はない。今まで抗酸化物は経口摂取する事しかなかった。
【考案の開示】
【考案が解決しようとする課題】
【０００３】  電子を皮膚の近傍で発生させて体内に摂取吸収させる事により、抗酸化機能を有する着衣類を開発する事を課題とする。
【課題を解決するための手段】
【０００４】  本考案は、第一層が銅、真ちゅう、ステンレス鋼または炭素材料から選択された一種類のシート状導電体からなり、第二層が含水高分子ゲルまたはイオン液体からなる電解質層で、第三層がアルミニウム箔またはアルミニウムメッシュからなり、その縁辺を無処理状態、または、織り布またはプラスチックフイルムで包み、縫製または接着して縁取りした３層の層状構成物が、第一層と第三層の間に１０〜１５００ｍＶの電圧を生じる事の出来るシート状の電池となり、この電池シートをパンツ、腹巻、胸当、シャツ、帽子またはサポーターの表側または裏側に、縫製、接着、収納、フアスナーテープ、ボタンまたはホックにより装着した電池シートの構造と、この電池シートを装着した着衣類の構造に関する。この発電機能を有する着衣類を穿くことによって第三層から電子の一部が皮膚を経由し体内に摂取吸収されることになる。【０００５】  第一層は正電極となり、シート状の銅箔、真ちゅう箔、ステンレス鋼箔またはシート状の炭素材料から選択された一種類の導電体が使用される。金属類は開口部を有するシート状物も使用可能である。
金属類は、厚さを薄くできるという長所が有るが、価格が高い事および皮膚に傷をつける可能性が有るという事があり、安全設計の点から炭素材料を用いる事が最も好ましい。炭素材料は黒鉛またはカーボンブラックを用いる。この黒鉛またはカーボンブラックは、単独または両者混合したものが使用でき、ベヒクルと混合して塗料とされ、基材に塗布する。塗布するための基材は、１１号木綿帆布、または３０〜６０メッシュのポリエステルメッシュを用いる事が好ましい。炭素含有塗料は粉末状（３０メッシュ）の黒鉛（４０重量部）を水溶性アクリル系樹脂（固形分換算６０重量部）で混合したペースト状の導電性塗料が好ましい。黒鉛に代わりカーボンブラックも単独または黒鉛と併用して使用可能である。この塗料を、基材の片面にヘラを用いて固形分として３０〜１００ｇ／ｍ２均一に塗付する。両面に塗布しても発電可能であるが、炭素含有率が第一層の厚さ方向に傾斜する片面塗布のほうが第二層の電解質と親和し易く好ましい。樹脂は、１００℃前後の加熱硬化型が好い。硬化不足の場合には、皮膚や衣服類が黒く汚れる事がある。片面塗布品は、第二層の電解質である含水高分子ゲルまたはイオン液体が炭素非塗付面の基材繊維内に浸透し、電池シートの端部から電解液が浸みだし難くなる利点がある。見かけ上の塗布厚さは０ｍｍになる場合があるが発電効果は変わらない。【０００６】  第二層は、含水高分子ゲルまたはイオン液体で、これを第一層の裏面に塗布する。高分子ゲルは、水分を３０〜８０％予め含ませておく。ゲルはポリビニルアルコール系、ＥＶＡ系またはアクリル系など合成高分子系のものを使用する。保冷材や化粧材に使われるものが人体に対し安全で好ましい。例えばクラレ製ＰＶＡゲル、白元社製アイスノン、大創産業製ウエット＆ハードゲル、パール金属製クールタイム、積水化学製テクノゲルがある。塗布量は、２０〜１００ｇ／ｍ２、好ましくは５０ｇ／ｍ２前後が好い。厚さは、見かけ上０〜３ｍｍとなる。テクノゲルは膜状の固体で、第一層または第三層が開口部を有するメッシュの場合に用いると液漏れする事がないので好都合である。この場合には塗布ではなく、第一層の大きさに合わせて切断し、重ね合わせる事になる。イオン液体は、高価であるが水を含まないので長寿命が可能である。ＢＡＳＦ社のハロゲンを含まない品種が安全性も有り使用できるが、価格および着衣類の洗濯を考えると、含水高分子ゲルが好ましい電解質である。【０００７】  第三層は、負電極となる。材料はアルミニウム箔が好ましい。その厚さは０．０１ないし０．０５ｍｍがよい。第三層のアルミニウム箔の面積を第一層の導体層より広くし、出力電圧は変えることなく、電子の発生面積を大きくすることもできる。【０００８】  以上の第一層から第三層までは積層され、縁辺処理によって一体化され、着衣類に装着した時に生活活動に差し支えない大きさに切断される。その大きさは縦２〜７ｃｍ、横５〜１５ｃｍ、の範囲が使いやすい。縁辺は各層が解放されているので、テープ状の織り布またはプラスチックフイルムで縫製または接着して３層を一体化させる事が好ましい。【０００９】  このようにして作られたシート状の層状構成物は、そのままで１０〜１５００ｍＶ���発電が可能であり、第一層が正極、第三層が負極となっている。皮膚に当たる面が第三層である事が好ましい。第一層が皮膚側になっても効果が見受けられるが、この場合は、体内の電子が第一層の近くに集められ、その周辺の抗酸化性が高められるからとみられる。【００１０】  抗酸化が問題とされるのは、体内で活性酸素が存在しているためである。この活性酸素は、電子不足状態の酸素を含む化合物群で、その近傍の組織から電子を奪って安定化を図ろうとする。このため電子を奪われた細胞は生命維持活動に支障をきたし、多くの生活習慣病を発症する事が分かっている。このために色々と抗酸化物が提案されているが、ほとんどが経口摂取で体内に取り込む事になっており、消化器を経由するために十分な効果が発揮され難いという欠点を有している。本考案は、電子を経皮膚摂取する事によって体内に取り込むために、血液などの体液に運ばれる事によって体内各所に送り込む事が可能となる。【００１１】  本考案の第一層から第三層までの層状構成の電池は、パンツ、腹巻、胸当、シャツ、帽子またはサポーターに装着して用いる。それらの着衣類には、縫製、接着、収納、フアスナーテープ、ボタンまたはホックを用いて装着する。皮膚に近い面は第三層が標準となるが、アルミニウムを保護するために薄手の織り布などでアルミニウム面を覆い、破損防止の保護策を図る事が好ましい。収納の場合は、着衣類のポケットを利用する事が出来るので、この点が好都合である。洗濯もやり易くなる。この場合は、皮膚とは間接的な接触位置関係となるが、電池シートの発電効果は変わりない。
【考案の効果】
【００１２】  本考案の発電機能を有する着衣類は、腰付近に着用するパンツまたは腹巻では排泄が正常化する。即ち夜間排尿回数が多い老人にあっても一晩に一回程度になる。排便にあっては、便秘および下痢がほとんど解消し、毎日定期的に排泄するようになる。腰痛、関節痛もほとんど解消する。散歩などで疲れにくくなる。低血圧が正常化して風呂などに入っても目眩が出にくい。長期間寝込む病人の床ずれにも有効である。糖尿病患者の血糖値の変化について現在調査中である。
胸当では、歩く時に起こる息切れが余り気にならなくなり、階段の上り下りも気にならなくなる。肋間神経痛も起こりにくくなる。胸やけもほぼ起こらなくなる。胆管結石の苦痛も緩和される症例が得られている。乳がんや肺がん患者に対する効果は調査中である。
帽子では、白髪が少なくなり、抜け毛が少なくなり、発毛も見受けられる。
【考案を実施するための最良の形態】
【００１３】  具体的な実施例によって説明する。
第一層は、縦３０ｃｍ、横３０ｃｍの木綿の１１号帆布の片面に、黒鉛塗料（例えば日本黒鉛製バニーライトＬ−１３）をステンレス鋼製刃渡り３ｃｍ厚さ０．５ｍｍのヘラを用いて固形分が、ほぼ５０ｇ／ｍ２となるように塗布し、約１００℃で１５分乾燥する。塗布厚さは、見かけ上約０．１ｍｍであった。
第二層は、含水率５０％の高分子吸水ゲル（例えばパール金属製クールタイム）を第一層の黒鉛非塗布面に塗布する。塗布は、ローラーやヘラを使用して行う。塗布量は、３０〜１００ｇ／ｍ２、好ましくは５０ｇ／ｍ２程度で良い。この時の塗布厚さは、見かけ上約０．１ｍｍであった。
第三層は、調理用アルミニウム箔（例えば三菱アルミニウム製ホイル）を第二層の上に貼る。
このようにして３層の層状構成物が出来上がる。この層状構成物をパンツに用いる場合は、図７に示すように幅が３ｃｍ、縦が７ｃｍの長方形に切断し、これを二枚準備する。この長方形の層状構成物を第三層が皮膚側になるように、パンツの前側表中央部を挟んで股間部に出来るだけ近く配置し縁辺を縫製して固定する。この状態のパンツを日常生活において着用し、前立腺肥大症による頻尿が一晩一回の排尿に改善された。また腰痛も解消した。
パンツと同じように、他の部位についても夫々の着衣に合わせて裁断し、着衣に取り付けて日常生活において着用し、前述の効果を得る事が出来た。尚、腹巻、胸当て、帽子またはサポーターの場合は、層状構成物は単に着衣の中に挟み込むだけで生活活動中において動くことはなく固定でき装着が簡単となる。
【産業上の利用可能性】
【００１４】  電子を抗酸化物として用いる事及び経皮膚摂取によって体内に取り込む事は世界で初めての試みである。費用対効果に優れた生活習慣病予防策として大きな産業になると思われる。
【図面の簡単な説明】
【００１５】
【図１】３層の層状構成物からなる電池シートを着衣の表面に装着した場合の断面構成説明図である。
【図２】３層の層状構成物からなる電池シートを着衣の裏側に装着した場合の断面構成説明図である。
【図３】シャツに電池シートを取り付けた状態の説明図である。
【図４】腹巻またはサポーターに電池シートを取り付けた状態の説明図である。
【図５】胸当てに電池シートを取り付けた状態の説明図である。
【図６】帽子に電池シートを取り付けた状態の説明図である。
【図７】パンツに電池シートを取り付けた状態の説明図である。
【符号の説明】
【００１６】  １    第一層、導電体層。
２    第二層、電解質層。
３    第三層、アルミニウム層。
４    アルミニウムの保護用布または着衣類の織り布面。
５    皮膚。
６    シャツ。
７    パンツ。
８    腹巻またはサポーター。
９    電池シート。
１０    胸当。
１１    帽子。
【図１】
0003141052.tif 000003
【図２】
0003141052.tif 000004
【図３】
0003141052.tif 000005
【図４】
0003141052.tif 000006
【図５】
0003141052.tif 000007
【図６】
0003141052.tif 000008
【図７】
0003141052.tif 000009
【手続補正書】
【提出日】平成20年1月15日(2008.1.15)
【手続補正１】
【補正対象書類名】実用新案登録請求の範囲
【補正対象項目名】全文
【補正方法】変更
【補正の内容】
【実用新案登録請求の範囲】
【請求項１】
第一層は、厚さ０．０１〜１ｍｍの銅、真ちゅう、ステンレス鋼または炭素材料の中から選択された１種類の導電体材料からなり、第二層は、含水高分子ゲルまたはイオン液体を電解質とする見かけの厚さが０〜３ｍｍの層からなり、第三層は、厚さ０．０１〜０．５ｍｍのアルミニウム箔またはアルミニウムメッシュからなり、この３層の層状構成物が、第一層と第三層の間に１０〜１５００ｍＶの電圧を発生する電池の状態で、パンツ、腹巻、シャツ、胸当、帽子またはサポーターである着衣類に、縫製、接着、収納、フアスナーテープ、ボタンまたはホックによって装着されている着衣類。
【請求項２】
第一層は、天然繊維または合成繊維からなる織り布または不織布を基材とし、その片面に黒鉛またはカーボンブラックを含む塗料を塗布し乾燥した厚さ０．０１〜１ｍｍの導電体材料からなり、第二層は、含水高分子ゲルまたはイオン液体を電解質とする見かけの厚さが０〜３ｍｍの層からなり、第三層は、厚さ０．０１〜０．５ｍｍのアルミニウム箔またはアルミニウムメッシュからなり、この３層の層状構成物が、第一層と第三層の間に１０〜１５００ｍＶの電圧を発生する電池の状態で、パンツ、腹巻、シャツ、胸当、帽子またはサポーターである着衣類に、縫製、接着、収納、フアスナーテープ、ボタンまたはホックによって装着されている着衣類。
【請求項３】
第一層は、厚さ０．０１〜１ｍｍの銅、真ちゅう、ステンレス鋼または炭素材料の中から選択された１種類の導電体材料からなり、第二層は、含水高分子ゲルまたはイオン液体を電解質とする見かけの厚さが０〜３ｍｍの層からなり、第三層は、厚さ０．０１〜０．５ｍｍのアルミニウム箔またはアルミニウムメッシュからなり、この３層の層状構成物が、第一層と第三層の間に１０〜１５００ｍＶの電圧を発生する電池の状態で、縁辺部を織り布またはプラスチックフイルムで包まれて縫製または接着して端部処理され、パンツ、腹巻、シャツ、胸当、帽子またはサポーターである着衣類に、縫製、接着、収納、フアスナーテープ、ボタンまたはホックによって装着されている着衣類。
【請求項４】
第一層は、天然繊維または合成繊維からなる織り布または不織布を基材とし、その片面に黒鉛またはカーボンブラックを含む塗料を塗布し乾燥した厚さ０．０１〜１ｍｍの導電体材料からなり、第二層は、含水高分子ゲルまたはイオン液体を電解質とする見かけの厚さが０〜３ｍｍの層からなり、第三層は、厚さ０．０１〜０．５ｍｍのアルミニウム箔またはアルミニウムメッシュからなり、この３層の層状構成物が、第一層と第三層の間に１０〜１５００ｍＶの電圧を発生する電池の状態で、縁辺部を織り布またはプラスチックフイルムで包まれて縫製または接着して端部処理され、パンツ、腹巻、シャツ、胸当、帽子またはサポーターである着衣類に、縫製、接着、収納、フアスナーテープ、ボタンまたはホックによって装着されている着衣類。